(57)【特許請求の範囲】
【請求項１】
第１の端末の表示手段が情報を２次元配列の画像として表示し、第２の端末の撮像手段が前記表示手段に表示された２次元配列の画像を撮像することによって、前記第１の端末から前記第２の端末に情報を送信する非接触通信システムであって、
前記表示手段を、２次元配列の画像として、情報を記録した２次元コードを表す一つの２次元コード画像を同一の表示画面上で表示すると同時に、列単位或いは行単位でスクロール表示するように構成し、
前記撮像手段を、前記表示手段にスクロール表示された２次元配列の画像を１次元的に撮像する１次元配列センサから構成し、
前記撮像手段により１次元的に撮像された画像に基づいて、前記表示手段にスクロール表示された元々の２次元配列の画像に記録されている情報を再生する再生手段を備えたことを特徴とする非接触通信システム。
【請求項２】
請求項１記載の非接触通信システムにおいて、
前記表示手段を、２次元コード画像を列単位或いは行単位でスクロール表示する表示領域のスクロール方向の寸法が、２次元コード画像の単位セルの一辺の長さと同等か或いは長くなるように構成したことを特徴とする非接触通信システム。
【請求項３】
第１の端末の表示手段が情報を２次元配列の画像として表示し、第２の端末の撮像手段が前記表示手段に表示された２次元配列の画像を撮像することによって、前記第１の端末から前記第２の端末に情報を送信する非接触通信システムであって、
前記表示手段を、情報を記録した２次元コードを表す一つの２次元コード画像を同一の表示画面上で表示すると同時に、セル単位でスクロール表示するように構成し、
前記撮像手段を、前記表示手段にスクロール表示された２次元配列の画像を１次元的に撮像する１次元配列センサから構成し、
前記撮像手段により１次元的に撮像された画像に基づいて、前記表示手段にスクロール表示された元々の２次元配列の画像に記録されている情報を再生する再生手段を備えたことを特徴とする非接触通信システム。
【請求項４】
請求項１ないし３のいずれかに記載の非接触通信システムにおいて、
前記表示手段におけるスクロール表示の開始を指示するためのスクロール表示開始指示手段と、
前記表示手段におけるスクロール表示の停止を指示するためのスクロール表示停止指示手段とを備え、
前記表示手段を、前記スクロール表示開始指示手段によりスクロール表示の開始が指示されてから前記スクロール表示停止指示手段によりスクロール表示の停止が指示されるまでの間は、２次元配列の画像を繰返してスクロール表示するように構成したことを特徴とする非接触通信システム。
【請求項５】
請求項１ないし４のいずれかに記載の非接触通信システムにおいて、
前記表示手段におけるスクロール速度の変更を指示するためのスクロール速度変更指示手段を備え、
前記表示手段を、前記スクロール速度変更指示手段によりスクロール速度の変更が指示されたときには、その指示されたスクロール速度に変更するように構成したことを特徴とする非接触通信システム。
【請求項６】
請求項１ないし５のいずれかに記載の非接触通信システムにおいて、
前記第２の端末を、少なくとも２次元配列画像撮像モード或いは１次元コード画像撮像モードのいずれかを動作モードとして動作するように構成し、
前記再生手段を、前記第２の端末が２次元配列画像撮像モードを動作モードとして動作するときには、前記撮像手段により１次元的に撮像された画像に基づいて、前記表示手段にスクロール表示された元々の２次元配列の画像に記録されている情報を再生するように構成し、前記第２の端末が１次元コード画像撮像モードを動作モードとして動作するときには、前記撮像手段により１次元的に撮像された画像を１次元コードを表す１次元コード画像として解析し、その１次元コードに記録されている情報を再生するように構成したことを特徴とする非接触通信システム。
【請求項７】
請求項１ないし６のいずれかに記載の非接触通信システムにおいて、
前記撮像手段における撮像の開始を指示するための撮像開始指示手段と、
前記撮像手段における撮像の停止を指示するための撮像停止指示手段とを備え、
前記撮像手段を、前記撮像開始指示手段により撮像の開始が指示されてから前記撮像停止指示手段により撮像の停止が指示されるまでの間は、前記表示手段にスクロール表示された２次元配列の画像を１次元的に繰返して撮像するように構成したことを特徴とする非接触通信システム。
【請求項８】
請求項１ないし７のいずれかに記載の非接触通信システムにおいて、
前記第２の端末は、情報を画像として表示する他の表示手段を備え、
前記第１の端末は、前記他の表示手段に表示された画像を撮像する他の撮像手段を備え、
前記他の撮像手段により撮像された画像に記録されている情報を再生する他の再生手段を備えたことを特徴とする非接触通信システム。
【請求項９】
請求項１ないし８のいずれかに記載の非接触通信システムにおいて、
前記第１の端末は、携帯電話機であることを特徴とする非接触通信システム。
【請求項１０】
請求項１ないし９のいずれかに記載の非接触通信システムにおいて、
前記第２の端末は、ＰＯＳ端末であることを特徴とする非接触通信システム。
【発明の詳細な説明】
【０００１】
【発明の属する技術分野】
本発明は、第１の端末の表示手段が情報を２次元配列の画像として表示し、第２の端末の撮像手段が前記表示手段に表示された２次元配列の画像を撮像することによって、前記第１の端末から前記第２の端末に情報を送信する非接触通信システムに関する。
【０００２】
【発明が解決しようとする課題】
通信システムの形態としては、一般的に、情報を伝達するための伝達媒体として例えば通信ケーブルなどの有線を採用した有線通信システムや、情報を伝達するための伝達媒体として例えば電波や赤外線などの無線を採用した無線通信システムが供されている。ところが、これらのものは、情報を送信する側ならびに情報を受信する側に、有線通信の場合であれば、通信ケーブルを接続するための専用のコネクタが必要であり、また、無線通信の場合であれば、電波を捕捉・放射するための専用のアンテナが必要であり、さらに、これらコネクタやアンテナの他にも、専用の通信回路が必要であり、その分、情報を送信する側ならびに情報を受信する側の構成が複雑になるという問題がある。
【０００３】
そこで、近年では、情報を送信する側が情報を画像として表示し、情報を受信する側が情報を送信する側にて表示された画像を撮像し、その撮像した画像に記録されている情報を再生することによって、情報を通信する非接触通信システムが考えられている。このものによれば、情報を送信する側ならびに情報を受信する側に、通信ケーブルを接続するための専用のコネクタや、電波を捕捉・放射するための専用のアンテナが必要となることはなく、さらに、専用の通信回路が必要となることもないことから、簡単な構成としながらも、情報を通信することができる。
【０００４】
ところで、このような非接触通信システムにあって、情報を送信する側が情報を２次元配列の画像として表示する場合には、情報を受信する側では、２次元配列の画像を撮像するための２次元配列センサを用いる必要がある。しかしながら、２次元配列センサは、１次元配列センサと比較すると高価であり、そのため、情報を受信する側が２次元配列センサを用いる構成は、システム全体としてのコストの高騰を招く要因になるという問題がある。
【０００５】
本発明は、上記した事情に鑑みてなされたものであり、その目的は、簡単な構成としながらも、情報を通信することができ、しかも、システム全体としてのコストを抑制することをもできる非接触通信システムを提供することにある。
【０００６】
【課題を解決するための手段】
請求項１に記載した非接触通信システムによれば、第１の端末において、情報を２次元配列の画像として表示する表示手段を、２次元配列の画像として、情報を記録した２次元コードを表す一つの２次元コード画像を同一の表示画面上で表示すると同時に、列単位或いは行単位でスクロール表示するように構成し、第２の端末において、２次元配列の画像を撮像する撮像手段を、表示手段にスクロール表示された２次元配列の画像を１次元的に撮像する１次元配列センサから構成し、そして、再生手段が、撮像手段により１次元的に撮像された画像に基づいて、表示手段にスクロール表示された元々の２次元配列の画像に記録されている情報を再生するように構成した。
【０００７】
したがって、情報を送信する側ならびに情報を受信する側に、通信ケーブルを接続するための専用のコネクタや、電波を捕捉・放射するための専用のアンテナが必要となることはなく、さらに、専用の通信回路が必要となることもないことから、簡単な構成としながらも、情報を通信することができ、しかも、このとき、情報を受信する側が２次元配列センサを用いる構成ではなく、情報を受信する側が１次元配列センサを用いる構成であることから、システム全体としてのコストを抑制することをもできる。また、この場合、１次元配列センサを備えている既存の端末のソフトウェアを変更するのみで対応可能であり、簡単に実現することができるので、システムを導入したり或いは拡張したりする場合にも、速やかに対応することができる。また、情報を２次元コードに記録することによって、２次元コードの利点を活かして、情報を通信することができる。また、情報を受信する側が２次元配列センサを備えていれば、静止表示されている２次元コード画像を２次元配列センサで読取ることにより、情報を速やかに通信することができ、一方、情報を受信する側が２次元配列センサを備えていなくとも、１次元配列センサを備えていれば、列単位或いは行単位でスクロール表示されている２次元コード画像を１次元配列センサで読取ることにより、情報を通信することができ、使い勝手を高めることができる。また、列単位或いは行単位でスクロール表示されている２次元コード画像を１次元配列センサで読取る場合に、そのスクロール表示されている元々の２次元コード画像が静止またはスクロール表示されているので、１次元配列センサで読取っている画像が２次元コード画像であることを容易に認識することをもでき、さらには、２次元コード画像が表示手段の一部にスクロール表示されることになるので、２次元コード画像が表示手段の全体にスクロール表示されるものと比較すると、１次元配列センサの読取位置を決定し易いという利点もある。
【０００８】
請求項２に記載した非接触通信システムによれば、表示手段を、２次元コード画像を列単位或いは行単位でスクロール表示する表示領域のスクロール方向の寸法が、２次元コード画像の単位セルの一辺の長さと同等か或いは長くなるように構成したので、列単位或いは行単位でスクロール表示されている２次元コード画像を１次元配列センサで読取る場合に、１次元配列センサの読取位置を、２次元コード画像がスクロール表示される表示領域に厳密に位置合わせしなくても良く、操作性を高めることができる。
請求項３に記載した非接触通信システムによれば、表示手段を、２次元配列の画像として、情報を記録した２次元コードを表す一つの２次元コード画像を同一の表示画面上で表示すると同時に、セル単位でスクロール表示するように構成したので、情報を受信する側が２次元配列センサを備えていれば、静止表示されている２次元コード画像を２次元配列センサで読取ることにより、情報を速やかに通信することができ、一方、情報を受信する側が２次元配列センサを備えていなくとも、点センサを備えていれば、セル単位でスクロール表示されている２次元コード画像を点センサで読取ることにより、情報を通信することができ、使い勝手を高めることができる。また、この場合も、セル単位でスクロール表示されている２次元コード画像を点センサで読取る場合に、そのスクロール表示されている元々の２次元コード画像が静止またはスクロール表示されているので、点センサで読取っている画像が２次元コード画像であることを容易に認識することをもできる。
【０００９】
請求項４に記載した非接触通信システムによれば、表示手段を、スクロール表示開始指示手段によりスクロール表示の開始が指示されてからスクロール表示停止指示手段によりスクロール表示の停止が指示されるまでの間は、２次元配列の画像を繰返してスクロール表示するように構成したので、撮像手段が２次元配列の画像を撮像するタイミングを、表示手段が２次元配列の画像をスクロール表示するタイミングに同期させる必要がなく、これによって、撮像手段を備えた第２の端末ならびに表示手段を備えた第１の端末を、それぞれ自己に設定されたタイミングで２次元配列の画像の撮像ならびに２次元配列の画像のスクロール表示を行うように構成すれば良く、第２の端末ならびに第１の端末の制御や操作を簡単にすることができる。
【００１０】
請求項５に記載した非接触通信システムによれば、表示手段を、スクロール速度変更指示手段によりスクロール速度の変更が指示されたときには、その指示されたスクロール速度に変更するように構成したので、例えば撮像手段が相対的に速い速度で撮像可能な場合であれば、スクロール速度を相対的に速く変更することによって、情報を速やかに通信することができ、一方、撮像手段が相対的に遅い速度でしか撮像できない場合であれば、スクロール速度を相対的に遅く変更することによって、情報を確実に通信することができ、このように撮像手段の撮像能力に応じてフレキシブルに対応することができる。
【００１１】
請求項６に記載した非接触通信システムによれば、再生手段を、第２の端末が２次元配列画像撮像モードを動作モードとして動作するときには、撮像手段により１次元的に撮像された画像に基づいて、表示手段にスクロール表示された２次元配列の画像に記録されている情報を再生し、一方、第２の端末が１次元コード画像撮像モードを動作モードとして動作するときには、撮像手段により１次元的に撮像された画像を１次元コードを表す１次元コード画像として解析し、その１次元コードに記録されている情報を再生するように構成したので、２次元配列の画像に記録されている情報を通信することができるのみでなく、１次元コードに記録されている情報をも通信することができ、第２の端末を通常の１次元コード読取端末としても使用することができる。
【００１２】
請求項７に記載した非接触通信システムによれば、撮像手段を、撮像開始指示手段により撮像の開始が指示されてから撮像停止指示手段により撮像の停止が指示されるまでの間は、表示手段にスクロール表示された２次元配列の画像を１次元的に繰返して撮像するように構成したので、表示手段が２次元配列の画像をスクロール表示するタイミングを、撮像手段が２次元配列の画像を撮像するタイミングに同期させる必要がなく、これによって、表示手段を備えた第１の端末ならびに撮像手段を備えた第２の端末を、それぞれ自己に設定されたタイミングで２次元配列の画像のスクロール表示ならびに２次元配列の画像の撮像を行うように構成すれば良く、第１の端末ならびに第２の端末の制御や操作を簡単にすることができる。
【００１３】
請求項８に記載した非接触通信システムによれば、第２の端末に、情報を画像として表示する他の表示手段を備え、第１の端末に、他の表示手段に表示された画像を撮像する他の撮像手段を備え、他の撮像手段により撮像された画像に記録されている情報を再生する他の再生手段を備えて構成したので、第１の端末から第２の端末に情報を送信することができるのみでなく、第２の端末から第１の端末にも情報を送信することができ、情報を双方向で通信することができる。
【００１４】
請求項９に記載した非接触通信システムによれば、第１の端末を携帯電話機から構成したので、第１の端末として専用の端末を用意する必要がなく、また、既存の携帯電話機のソフトウェアを変更するのみで対応可能であることから、簡単に実現することができる。さらに、携帯電話機が広く普及していることを鑑みると、既存の携帯電話機を有効に利用することによって、システムを導入したり或いは拡張したりする場合にも、速やかに対応することができ、コスト負担を小さくすることをもできる。
【００１５】
請求項１０に記載した非接触通信システムによれば、第２の端末をＰＯＳ端末から構成したので、第２の端末として専用の端末を用意する必要がなく、また、既存のＰＯＳ端末のソフトウェアを変更するのみで対応可能であることから、簡単に実現することができる。さらに、ＰＯＳ端末が広く普及していることを鑑みると、既存のＰＯＳ端末を有効に利用することによって、システムを導入したり或いは拡張したりする場合にも、速やかに対応することができ、コスト負担を小さくすることをもできる。
【００１９】
【発明の実施の形態】
（第１の実施の形態）
以下、本発明を、携帯電話機が２次元コードを表す２次元コード画像をディスプレイに表示し、ＰＯＳ（Point Of Sales）端末が携帯電話機のディスプレイに表示された２次元コード画像を撮像することによって、携帯電話機からＰＯＳ端末に２次元コードに記録されている情報を送信する非接触通信システムに適用した第１実施例について、図１ないし図１０を参照して説明する。まず、図１は、携帯電話機ならびにＰＯＳ端末の電気的な構成を機能ブロック図として示している。
【００２０】
携帯電話機１（本発明でいう第１の端末）は、マイクロコンピュータを主体としてなるＣＰＵ（Central Processing Unit ）２に、基地局（図示せず）との間で無線処理を行う無線回路３、ディスプレイ４（本発明でいう表示手段）、送話音声を入力するマイクロホン５、受話音声を出力するレシーバ６、「通話開始」キー、「通話終了」キー、「リダイヤル」キーおよび「０」〜「９」の「数字」キーなどの多数のキーを配列してなるキーパッド７（本発明でいうスクロール表示開始指示手段、スクロール表示停止指示手段、スクロール速度変更指示手段）、着信したときに点滅するＬＥＤ（Light Emitting Diode）８、着信したときに着信音（着信メロディを含む）を出力するスピーカ９ならびにメモリ１０が接続されて構成されている。
【００２１】
この場合、ＣＰＵ２は、その記憶領域に記憶されているプログラムを実行することによって、電話機本来の処理の他に、次に示す処理を行う。すなわち、メモリ１０は、アドレス帳、発信履歴、着信履歴ならびに着信音パターンなどの電話機本来の機能に係る情報の他に、例えば預金口座番号や暗証番号などの電子商取引を行う場合に必要な情報をも一時的に記憶しており、ＣＰＵ２は、詳しくは後述するように、所定条件が成立すると、メモリ１０に記憶されている例えば預金口座番号の情報を読出して２次元コードに記録し、その預金口座番号の情報を記録した２次元コードを表す２次元コード画像をディスプレイ４にスクロール表示させる。
【００２２】
ＰＯＳ端末１１（本発明でいう第２の端末）は、マイクロコンピュータを主体としてなるＣＰＵ１２（本発明でいう再生手段）に、スキャナ１３、商品の金額などを入力するための数字「０」〜「９」、「００」、「０００」の「数字」キーなどの多数のキーを配設してなるキーボード１４（本発明でいう撮像開始指示手段、撮像停止指示手段）、商品の金額などを表示するためのディスプレイ１５、ＬＥＤ１６、スピーカ１７、メモリ１８ならびにレシートを発行するためのレシート発行装置１９が接続されて構成されている。
【００２３】
スキャナ１３は、レンズ２０、１次元配列の光センサ２１（本発明でいう撮像手段、１次元配列センサ）、増幅回路２２、Ａ／Ｄ変換回路２３、記憶回路２４ならびに照明用ＬＥＤ２５を備えて構成されている。光センサ２１は、画像をレンズ２０を通じて１次元的に撮像すると、その１次元的に撮像した画像を電気信号に変換して増幅回路２２に出力する。増幅回路２２は、光センサ２１から電気信号を入力すると、その入力した電気信号を増幅してＡ／Ｄ変換回路２３に出力し、Ａ／Ｄ変換回路２３は、増幅回路２２から電気信号を入力すると、その入力した電気信号をアナログ−デジタル変換し、アナログ−デジタル変換した電気信号を記憶回路２４に出力する。そして、記憶回路２４は、Ａ／Ｄ変換回路２３から電気信号を入力すると、その入力した電気信号を一時的に記憶する。
【００２４】
この場合、ＰＯＳ端末１１は、２次元配列画像撮像モード或いは１次元コード画像撮像モードのいずれかを動作モードとして動作し、ＣＰＵ１２は、その記憶領域に記憶されているプログラムを実行することによって、次に示す処理を行う。すなわち、ＣＰＵ１２は、ＰＯＳ端末１１が２次元配列画像撮像モードを動作モードとして動作するときには、スキャナ１３の光センサ２１が１次元的に撮像した画像をスキャナ１３から入力すると、そのスキャナ１３から入力した１次元的に撮像された画像に基づいて、２次元配列の画像に記録されている情報を再生する。一方、ＣＰＵ１２は、ＰＯＳ端末１１が１次元コード画像撮像モードを動作モードとして動作するときには、スキャナ１３の光センサ２１が１次元的に撮像した画像をスキャナ１３から入力すると、そのスキャナ１３から入力した１次元的に撮像された画像を１次元コードを表す１次元コード画像として解析し、その１次元コードに記録されている情報を再生する。
【００２５】
次に、上記した構成の作用について、図２ないし図１０も参照して説明する。ここで、図２は、携帯電話機１のＣＰＵ２が行う処理をフローチャートとして示しており、図３は、ＰＯＳ端末１１のＣＰＵ１２が行う処理をフローチャートとして示している。
【００２６】
まず、携帯電話機１において、ＣＰＵ２は、キーパッド７から選択画面表示指令信号を入力し、ユーザが２次元コードを選択すべく選択画面をディスプレイ４に表示させるための操作をキーパッド７にて行ったことを検出すると（ステップＳ１にて「ＹＥＳ」）、図４に示すように、２次元コードを選択すべく選択画面をディスプレイ４に表示させる（ステップＳ２）。ここでは、ユーザが例えば  「ＱＲコード」を選択すると仮定する。
【００２７】
次いで、ＣＰＵ２は、キーパッド７から選択確定信号を入力し、ユーザが例えば「ＱＲコード」を選択して確定するための操作をキーパッド７にて行ったことを検出すると（ステップＳ３にて「ＹＥＳ」）、メモリ１０に記憶されている情報のうちから、あらかじめ指定された例えば預金口座番号の情報を読出す（ステップＳ４）。そして、ＣＰＵ２は、メモリ１０から読出した預金口座番号の情報を、先に選択されて確定されたＱＲコードに記録し（ステップＳ５）、図５に示すように、その預金口座番号の情報を記録したＱＲコードを表すＱＲコード画像をディスプレイ４に表示させる（ステップＳ６）。
【００２８】
次いで、ＣＰＵ２は、キーパッド７からスクロール表示開始指示信号を入力し、ユーザがスクロール表示を開始させるための操作を行ったことを検出すると（ステップＳ７にて「ＹＥＳ」）、図６（ａ）〜（ｄ）に示すように、ＱＲコード画像のスクロール表示を開始させる（ステップＳ８）。このような制御によって、携帯電話機１では、メモリ１０に記憶されている例えば預金口座番号の情報をＱＲコードに記録し、その預金口座番号の情報を記録したＱＲコードを表すＱＲコード画像のスクロール表示を開始する。このとき、スクロール速度は、例えばデフォルト値である。
【００２９】
そして、ＣＰＵ２は、このようにＱＲコード画像のスクロール表示を開始させた以降にあっては、キーパッド７からスクロール速度変更指示信号を入力し、ユーザがスクロール速度を変更させるための操作を行ったことを検出すると（ステップＳ９にて「ＹＥＳ」）、その指示されたスクロール速度に変更させ（ステップＳ１０）、また、キーパッド７からスクロール表示停止指示信号を入力し、ユーザがＱＲコード画像のスクロール表示を停止させるための操作を行ったことを検出すると（ステップＳ１１にて「ＹＥＳ」）、ＱＲコード画像のスクロール表示を停止させる（ステップＳ１２）。すなわち、換言すれば、ＣＰＵ２は、ＱＲコード画像のスクロール表示を開始させた以降にあっては、ユーザがＱＲコード画像のスクロール表示を停止させるための操作を行わない限りは、ＱＲコード画像のスクロール表示を停止させることはなく、ＱＲコード画像のスクロール表示を繰返す。
【００３０】
さて、ここで、ユーザが、図７に示すように、スキャナ１３の読取り口１３ａを携帯電話機１のディスプレイ４上の所定位置に対向させると仮定する。尚、図７では、光センサ２１の読取位置（走査位置）を一点鎖線Ｐにて示している。
【００３１】
ＰＯＳ端末１１が２次元配列画像撮像モードを動作モードとしていると仮定すると、ＰＯＳ端末１１において、ＣＰＵ１２は、キーボード１４から撮像開始指示信号を入力し、ユーザがＱＲコード画像の撮像を開始させるための操作をキーボード１４にて行ったことを検出すると（ステップＴ１にて「ＹＥＳ」）、撮像開始指示信号をスキャナ１３に出力し、スキャナ１３の光センサ２１によるＱＲコード画像の撮像を開始させる（ステップＴ２）。
【００３２】
スキャナ１３は、ＣＰＵ１２から撮像開始指示信号を入力すると、光センサ２１による撮像を開始する。このとき、スキャナ１３は、先に説明したように、その読取り口１３ａが携帯電話機１のディスプレイ４上の所定位置に対向していることから、光センサ２１によるＱＲコード画像を所定時間間隔で１次元的に撮像する。
【００３３】
具体的に説明すると、光センサ２１は、図８に示すように、撮像タイミングｔ１のときに、その読取位置にＱＲコード画像の例えば第１列目が対向していると（（ａ）の状態）、そのＱＲコード画像の第１列目の明暗パターンを撮像する。次いで、光センサ２１は、撮像タイミングｔ１から所定時間が経過した次の撮像タイミングｔ２のときに、その読取位置にＱＲコード画像の例えば第５列目が対向していると（（ｂ）の状態）、そのＱＲコード画像の第５列目の明暗パターンを撮像する。次いで、光センサ２１は、撮像タイミングｔ２から所定時間が経過した次の撮像タイミングｔ３のときに、その読取位置にＱＲコード画像の例えば第９列目が対向していると（（ｃ）の状態）、そのＱＲコード画像の第９列目の明暗パターンを撮像する。そして、光センサ２１は、これ以降、同様の処理を繰返す。尚、図８では、明暗パターンの「明」を「塗潰していない領域」で示しており、明暗パターンにあって「暗」を「塗潰している領域」で示している。そして、スキャナ１３は、このようにして光センサ２１により１次元的に撮像した明暗パターンを電気信号としてＣＰＵ１２に順次出力する。
【００３４】
そして、ＣＰＵ１２は、スキャナ１３から明暗パターンを順次入力すると（ステップＴ３）、スキャナ１３から入力した明暗パターンに基づいて、携帯電話機１のディスプレイ４にスクロール表示された元々のＱＲコード画像に記録されている情報の再生を開始する（ステップＴ４）。このような制御によって、ＰＯＳ端末１１では、携帯電話機１のディスプレイ４にスクロール表示されたＱＲコード画像を１次元的に撮像し、その１次元的に撮像した画像に基づいて、携帯電話機１のディスプレイ４にスクロール表示された元々のＱＲコード画像に記録されている情報の再生を開始する。
【００３５】
次いで、ＣＰＵ１２は、ＱＲコードに記録されている情報の再生を完了すると（ステップＴ５にて「ＹＥＳ」）、情報の再生を完了したことをユーザに報知すべく、図９に示すように、例えば「再生完了しました」という表示メッセージをディスプレイ１５に表示させる（ステップＴ６）。これによって、ユーザは、ディスプレイ１５に表示された表示メッセージを確認することによって、ＱＲコードに記録されている情報の再生が完了されたことを確認することが可能となる。そして、ＣＰＵ１２は、キーボード１４から撮像停止指示信号を入力し、ユーザがＱＲコード画像の撮像を停止させるための操作をキーボード１４にて行ったことを検出すると（ステップＴ７にて「ＹＥＳ」）、撮像停止指示信号をスキャナ１３に出力し、スキャナ１３の光センサ２１によるＱＲコード画像の撮像を停止させる（ステップＴ８）。
【００３６】
図１０は、このようにして携帯電話機１からＰＯＳ端末１１に情報を送信する様子を概略的に示している。ところで、以上は、携帯電話機１において、２次元コードを選択するに際して、「ＱＲコード」を選択した場合を説明したものであるが、例えば「ＰＤＦ４１７」や「Ｄａｔａ  Ｍａｔｒｉｘ」などの他の２次元コードを選択した場合であっても、これと同様である。
【００３７】
以上に説明したように第１実施例によれば、携帯電話機１において、例えば預金口座番号の情報をＱＲコードに記録し、その預金口座番号の情報を記録したＱＲコードを表すＱＲコード画像をディスプレイ４にスクロール表示し、ＰＯＳ端末１１において、携帯電話機１のディスプレイ４にスクロール表示されたＱＲコード画像を１次元的に撮像し、その１次元的に撮像した画像に基づいて、携帯電話機１のディスプレイ４にスクロール表示された元々のＱＲコード画像に記録されている情報を再生するように構成した。
【００３８】
したがって、情報を送信する携帯電話機１ならびに情報を受信するＰＯＳ端末１１に、通信ケーブルを接続するための専用のコネクタや、電波を捕捉・放射するための専用のアンテナが必要となることはなく、さらに、専用の通信回路が必要となることもないことから、簡単な構成としながらも、情報を通信することができ、しかも、このとき、情報を受信するＰＯＳ端末１１が２次元配列の光センサを用いる構成ではなく、情報を受信するＰＯＳ端末１１が１次元配列の光センサ２１を用いる構成であることから、システム全体としてのコストを抑制することをもできる。また、この場合、１次元配列の光センサ２１を備えている既存のＰＯＳ端末１１のソフトウェアを変更するのみで対応可能であり、簡単に実現することができるので、システムを導入したり或いは拡張したりする場合にも、速やかに対応することができる。
【００３９】
また、２次元コードを採用し（本実施例ではＱＲコードを採用し）、預金口座番号の情報を２次元コードに記録し、その預金口座番号の情報を記録した２次元コードを表す２次元コード画像をディスプレイ４にスクロール表示するように構成したので、情報を２次元コードに記録することによって、２次元コードの利点を活かして、情報を通信することができる。
【００４０】
また、ユーザがスクロール表示を開始させるための操作を行ってからスクロール表示を停止させるための操作を行うまでの間は、ＱＲコード画像を繰返してスクロール表示するように構成したので、スキャナ１３がＱＲコード画像を撮像するタイミングを、ディスプレイ４がＱＲコード画像をスクロール表示するタイミングに同期させる必要がなく、これによって、ＰＯＳ端末１１ならびに携帯電話機１を、それぞれ自己に設定されたタイミングでＱＲコード画像の撮像ならびにＱＲコード画像のスクロール表示を行うように構成すれば良く、ＰＯＳ端末１１ならびに携帯電話機１の制御や操作を簡単にすることができる。また、ＱＲコード画像に記録されている情報の再生を完了したときには、スクロール表示の停止を速やかに指示することによって、スクロール表示を速やかに停止させることができ、これ以降、スクロール表示が不要に行われてしまうことを未然に回避することができ、情報を送信する携帯電話機１において、消費電力の低減化を図ることができる。
【００４１】
また、ユーザがスクロール表示を変更させるための操作を行ったときには、その指示されたスクロール速度に変更するように構成したので、例えばＰＯＳ端末１１のスキャナ１３が相対的に速い速度で撮像可能な場合であれば、スクロール速度を相対的に速く変更することによって、情報を速やかに通信することができ、一方、スキャナ１３が相対的に遅い速度でしか撮像できない場合であれば、スクロール速度を相対的に遅く変更することによって、情報を確実に通信することができ、このようにスキャナ１３の撮像能力に応じてフレキシブルに対応することができる。
【００４２】
また、ＰＯＳ端末１１が１次元コード画像撮像モードを動作モードとして動作するときには、光センサ２１により１次元的に撮像された画像を１次元コードを表す１次元コード画像として解析し、その１次元コードに記録されている情報を再生するように構成したので、２次元配列の画像に記録されている情報を通信することができるのみでなく、１次元コードに記録されている情報をも通信することができ、ＰＯＳ端末１１を通常の１次元コード読取端末としても使用することができる。
【００４３】
また、ユーザが撮像を開始させるための操作を行ってからユーザが撮像を停止させるための操作を行うまでの間は、ＱＲコード画像を１次元的に繰返して撮像するように構成したので、ディスプレイ４がＱＲコード画像をスクロール表示するタイミングを、スキャナ１３がＱＲコード画像を撮像するタイミングに同期させる必要がなく、これによって、携帯電話機１ならびにＰＯＳ端末１１を、それぞれ自己に設定されたタイミングでＱＲコード画像のスクロール表示ならびにＱＲコード画像の撮像を行うように構成すれば良く、携帯電話機１ならびにＰＯＳ端末１１の制御や操作を簡単にすることができる。また、ＱＲコード画像に記録されている情報の再生を完了したときには、撮像の停止を速やかに指示することによって、撮像を速やかに停止させることができ、これ以降、撮像が不要に行われてしまうことを未然に回避することができ、情報を受信するＰＯＳ端末１１において、消費電力の低減化を図ることができる。
【００４４】
（第２の実施の形態）
次に、本発明の第２実施例について、図１１ならびに図１２を参照して説明する。尚、上記した第１実施例と同一部分には同一符号を付して説明を省略し、以下、異なる部分について説明する。
上記した第１実施例は、携帯電話機１がＱＲコード画像をディスプレイ４にスクロール表示し、ＰＯＳ端末１１が携帯電話機１のディスプレイ４にスクロール表示された画像を１次元的に撮像することによって、携帯電話機１からＰＯＳ端末１１に情報を送信し、つまり、情報を片方向のみで通信する構成を説明したものであるが、これに対して、この第２実施例は、携帯電話機からＰＯＳ端末に情報を送信するのみでなく、ＰＯＳ端末から携帯電話機にも情報を送信し、つまり、情報を双方向で通信するように構成したものである。
【００４５】
すなわち、図１１において、携帯電話機３１は、マイクロコンピュータを主体としてなるＣＰＵ３２（本発明でいう他の再生手段）に、上記した第１実施例で説明した無線回路３、ディスプレイ４、マイクロホン５、レシーバ６、キーパッド７、ＬＥＤ８、スピーカ９ならびにメモリ１０の他に、ＣＣＤ（Charge Coupled Device ）センサ３３（本発明でいう他の撮像手段）が接続されて構成されている。また、ＰＯＳ端末３４は、マイクロコンピュータを主体としてなるＣＰＵ３５に、上記した第１実施例で説明したスキャナ１３、キーボード１４、ディスプレイ１５、ＬＥＤ１６、スピーカ１７、メモリ１８ならびにレシート発行装置１９の他に、表示装置３６（本発明でいう他の表示手段）が接続されて構成されている。
【００４６】
この場合、ＰＯＳ端末３４において、メモリ１８は、例えば振込先口座番号や商品代金などの電子商取引を行う場合に必要な情報を一時的に記憶しており、ＣＰＵ３５は、所定条件が成立すると、メモリ１８に記憶されている例えば振込先口座番号の情報を読出して例えばＱＲコードに記録し、その振込先口座番号の情報を記録したＱＲコードを表すＱＲコード画像を表示装置３６に表示させる。そして、携帯電話機３１において、ＣＰＵ３２は、所定条件が成立すると、ＣＣＤセンサ３３が表示装置３６に対向されていることを前提として、ＣＣＤセンサ３３による撮像を開始させ、ＣＣＤセンサ３３から明暗パターンを入力すると、ＣＣＤセンサ３３から入力した明暗パターンに基づいて、ＰＯＳ端末３４の表示装置３６に表示された元々のＱＲコード画像に記録されている情報を再生する。
【００４７】
図１２は、このようにして携帯電話機３１からＰＯＳ端末３４に情報を送信すると共に、ＰＯＳ端末３４から携帯電話機３１に情報を送信する様子を概略的に示している。尚、この場合は、ＣＣＤセンサ３３が２次元配列のセンサであれば、ＱＲコード画像を表示装置３６にスクロール表示させる必要はなく、ＣＣＤセンサ３３が１次元配列のセンサであれば、ＱＲコード画像を表示装置３６にスクロール表示させることによって、ＰＯＳ端末３４から携帯電話機３１に例えば振込先口座番号の情報を送信することができる。また、振込先口座番号の情報を「ＱＲコード」以外の「ＰＤＦ４１７」や「Ｄａｔａ  Ｍａｔｒｉｘ」などの他の２次元コードに記録しても良く、さらに、情報を２次元コードに記録することに限らず、情報を１次元コードに記録し、情報を通信するようにしても良い。
【００４８】
以上に説明したように第２実施例によれば、上記した第１実施例に記載したものと同様の作用効果を得ることができる。特に、この場合は、ＰＯＳ端末３４において、例えば振込先口座番号の情報をＱＲコードに記録し、その振込先口座番号の情報を記録したＱＲコードを表すＱＲコード画像を表示装置３６に表示し、携帯電話機３１において、ＰＯＳ端末３４の表示装置３６に表示されたＱＲコード画像を撮像し、その撮像した画像に基づいて、ＰＯＳ端末３４の表示装置３６に表示された元々のＱＲコード画像に記録されている情報を再生するように構成したので、携帯電話機３１からＰＯＳ端末３４に情報を送信することができるのみでなく、ＰＯＳ端末３４から携帯電話機３１にも情報を送信することができ、情報を双方向で通信することができる。
【００４９】
（第３の実施の形態）
次に、本発明の第３実施例について、図１３ないし図１５を参照して説明する。尚、上記した第１実施例と同一部分には同一符号を付して説明を省略し、以下、異なる部分について説明する。
上記した第１実施例は、携帯電話機１がＱＲコード画像をスクロール表示する構成を説明したものであるが、これに対して、この第３実施例は、携帯電話機１がＱＲコード画像を静止またはスクロール表示すると同時に、列単位でスクロール表示するように構成したものである。
【００５０】
すなわち、携帯電話機１において、ＣＰＵ２は、図１３に示すように、例えば預金口座番号の情報を記録したＱＲコードを表すＱＲコード画像を、ディスプレイ４の表示領域４ａに静止表示させると同時に、そのＱＲコード画像の１列目の明暗パターンをディスプレイ４の表示領域４ｂに表示させる。そして、これ以降、ＣＰＵ２は、ユーザがスクロール表示を開始させるための操作を行ったことを検出すると、図１４に示すように、ＱＲコード画像の１列目から最終列目に至るまで、ＱＲコード画像の明暗パターンを列単位で所定時間毎にディスプレイ４の表示領域４ｂに表示させ、ＱＲコード画像をスクロール表示させる。また、このとき、ＱＲコード画像の全体を、上記した第１実施例に記載したものと同様にして、ディスプレイ４の表示領域４ａにスクロール表示させても良い。尚、一例として、図１３（ａ）は、ＱＲコード画像の１列目の明暗パターンが表示されている状態を示しており、図１３（ｂ）は、ＱＲコード画像の２列目の明暗パターンが表示されている状態を示している。
【００５１】
また、この場合、表示領域４ｂのスクロール方向の寸法（図１３中Ｌ1にて示す）は、ディスプレイ４の表示領域４ａに表示されているＱＲコード画像の単位セルの一辺の長さ（図１３中Ｌ3にて示す）よりも長くなっている。このような構成により、１次元配列の光センサ２１の読取位置が、図１５（ｂ）に示すように、傾いた場合であっても、ＱＲコード画像に記録されている情報の再生を適切に行うことができる。
【００５２】
以上に説明したように第３実施例によれば、携帯電話機１において、ＱＲコードを表すＱＲコード画像をディスプレイ４に静止またはスクロール表示すると同時に、列単位でスクロール表示するように構成したので、情報を受信する側が２次元配列センサを備えていれば、静止表示されているＱＲコード画像を２次元配列センサで読取ることにより、情報を速やかに通信することができ、一方、情報を受信する側が２次元配列センサを備えていなくとも、１次元配列センサを備えていれば、列単位でスクロール表示されているＱＲコード画像を１次元配列センサで読取ることにより、情報を通信することができ、使い勝手を高めることができる。
【００５３】
また、列単位でスクロール表示されているＱＲコード画像を１次元配列センサで読取る場合に、そのスクロール表示されている元々の２次元コード画像が静止またはスクロール表示されているので、１次元配列センサで読取っている画像がＱＲコード画像であることを容易に認識することをもでき、さらには、ＱＲコード画像がディスプレイ４の一部にスクロール表示されることになるので、ＱＲコード画像がディスプレイ４の全体にスクロール表示される第１実施例に記載したものと比較すると、１次元配列センサの読取位置を決定し易いという利点もある。
【００５４】
また、この場合、ＱＲコード画像を列単位でスクロール表示する表示領域のスクロール方向の寸法が、ＱＲコード画像の単位セルの一辺の長さよりも長くなるように構成したので、列単位でスクロール表示されているＱＲコード画像を１次元配列センサで読取る場合に、１次元配列センサの読取位置を、ＱＲコード画像がスクロール表示される表示領域に厳密に位置合わせしなくても良く、操作性を高めることができる。
【００５５】
（第４の実施の形態）
次に、本発明の第４実施例について、図１６ないし図１９を参照して説明する。尚、上記した第３実施例と同一部分には同一符号を付して説明を省略し、以下、異なる部分について説明する。
上記した第３実施例は、携帯電話機１がＱＲコード画像を静止またはスクロール表示すると同時に、列単位でスクロール表示するように構成したものであるが、これに対して、この第４実施例は、携帯電話機１がＱＲコード画像をディスプレイ４に静止またはスクロール表示すると同時に、セル単位でスクロール表示するように構成したものである。
【００５６】
すなわち、携帯電話機１において、ＣＰＵ２は、図１６に示すように、例えば預金口座番号の情報を記録したＱＲコードを表すＱＲコード画像を、ディスプレイ４の表示領域４ａに静止表示させると同時に、そのＱＲコード画像の１セル  （図１７中左上端部に位置するセル）目の明暗パターンをディスプレイ４の表示領域４ｃに表示させる。そして、これ以降、ＣＰＵ２は、ユーザがスクロール表示を開始させるための操作を行ったことを検出すると、図１７（ａ）に示すように、ＱＲコード画像の１セル目から最終セル（図１７中右下端部に位置するセル）目に至るまで、ＱＲコード画像の明暗パターンをセル単位で所定時間毎にディスプレイ４の表示領域４ｃに表示させ、ＱＲコード画像をスクロール表示させる。また、このときも、ＱＲコード画像の全体を、ディスプレイ４の表示領域４ａにスクロール表示させても良い。尚、一例として、図１６（ａ）は、明暗パターンの「暗」のセルが表示されている状態を示しており、図１６（ｂ）は、明暗パターンの「明」のセルが表示されている状態を示している。また、図１７（ｂ）は、ＱＲコード画像の１列目に位置する各単位セルの明暗パターンが表示される場合について、表示領域４ｃの表示のオンオフ状態（時間）の変化を示している。
【００５７】
また、この場合も、表示領域４ｃのスクロール方向の寸法（図１６中Ｌ2にて示す）は、ディスプレイ４の表示領域４ａに表示されているＱＲコード画像の単位セルの一辺の長さよりも長くなっている。
【００５８】
ところで、この場合は、ＱＲコード画像などの２次元コードを表す２次元コード画像に代わって、図１８に示すように、バーコード画像などの１次元コードを表すバーコード画像を静止表示すると同時に、スクロール表示するように構成しても良い。この場合は、図１９（ｂ）に示すように、バーやスペースの長さに対応して、表示領域４ｃの表示のオンオフ状態（時間）が変化することになる。
【００５９】
以上に説明したように第４実施例によれば、携帯電話機１において、ＱＲコードを表すＱＲコード画像をディスプレイ４に静止またはスクロール表示すると同時に、セル単位でスクロール表示するように構成したので、情報を受信する側が２次元配列センサを備えていれば、静止表示されているＱＲコード画像を２次元配列センサで読取ることにより、情報を速やかに通信することができ、一方、情報を受信する側が２次元配列センサを備えていなくとも、点センサを備えていれば、セル単位でスクロール表示されているＱＲコード画像を点センサで読取ることにより、情報を通信することができ、使い勝手を高めることができる。
【００６０】
また、この場合も、セル単位でスクロール表示されているＱＲコード画像を点センサで読取る場合に、そのスクロール表示されている元々の２次元コード画像が静止またはスクロール表示されているので、点センサで読取っている画像がＱＲコード画像であることを容易に認識することをもできる。
【００６１】
（その他の実施の形態）
本発明は、上記した実施例にのみ限定されるものでなく、次のように変形または拡張することができる。
第１の端末は、携帯電話機に限らず、例えば携帯情報端末やテレビなどの他の装置であっても良く、また、専用の装置であっても良い。第２の端末は、ＰＯＳ端末に限らず、他の装置であっても良く、また、専用の装置であっても良い。
【００６２】
情報は、例えば預金口座番号や暗証番号などの電子商取引を行う場合に必要な情報に限らず、外部からダウンロードした他の情報であっても良く、また、外部からダウンロードした情報に限らず、携帯電話機の内部で生成した例えばアドレス帳や電子メールの情報などであっても良く、例えばアドレス帳の情報を２次元コードに記録し、そのアドレス帳の情報を記録した２次元コードを表す２次元コード画像を表示することによって、そのアドレス帳の情報を送信する構成であっても良い。
【００６３】
画像をスクロール表示する方向（スクロール方向）は、上下左右のいずれの方向であっても良い。
【００６４】
ＰＯＳ端末において、情報の再生が完了したときに、ディスプレイが表示メッセージを表示する構成に限らず、ＬＥＤが点滅したり、スピーカが音を出力することによって、情報の再生が完了した旨を報知する構成であっても良い。
【００６５】
情報の情報量が極めて大きな場合には、情報を送信する携帯電話機では、情報を複数のＱＲコードに分割して記録し、複数のＱＲコードを順次スクロール表示し、情報を受信するＰＯＳ端末では、複数のＱＲコードを順次撮像することによって、情報を通信する構成であっても良い。
【００６６】
第３実施例において、ＱＲコード画像を静止またはスクロール表示すると同時に、行単位でスクロール表示する構成であっても良い。また、ユーザがＱＲコード画像を静止表示するかまたはスクロール表示するかを選択可能な構成であっても良い。さらに、ＱＲコード画像を列単位でスクロール表示する表示領域のスクロール方向の寸法が、ＱＲコード画像の単位セルの一辺の長さと同等であっても良い。
【図面の簡単な説明】
【図１】本発明の第１実施例を示す機能ブロック図
【図２】携帯電話機の処理を示すフローチャート
【図３】ＰＯＳ端末の処理を示すフローチャート
【図４】２次元コードを選択する選択画面の一例を示す図
【図５】ＱＲコード画像を表示する画面の一例を示す図
【図６】ＱＲコード画像をスクロール表示する様子を示す図
【図７】携帯電話機とスキャナとの位置関係を示す図
【図８】スキャナが撮像する明暗パターンの一例を示す図
【図９】表示メッセージの一例を示す図
【図１０】携帯電話機からＰＯＳ端末に情報を送信する様子を概略的に示す図
【図１１】本発明の第２実施例を示す機能ブロック図
【図１２】携帯電話機からＰＯＳ端末に情報を送信すると共に、ＰＯＳ端末から携帯電話機に情報を送信する様子を概略的に示す図
【図１３】本発明の第３実施例のＱＲコード画像を表示する画面の一例を示す図
【図１４】ＱＲコード画像を示す図
【図１５】図１３相当図
【図１６】本発明の第４実施例のＱＲコード画像を表示する画面の一例を示す図
【図１７】ＱＲコード画像ならびに表示タイミングを示す図
【図１８】バーコード画像を表示する画面の一例を示す図
【図１９】バーコード画像ならびに表示タイミングを示す図
【符号の説明】
図面中、１は携帯電話機（第１の端末）、４はディスプレイ（表示手段）、７はキーパッド（スクロール表示開始指示手段、スクロール表示停止指示手段、スクロール速度変更指示手段）、１１はＰＯＳ端末（第２の端末）、１２はＣＰＵ（再生手段）、１４はキーボード（撮像開始指示手段、撮像停止指示手段）、２１は光センサ（撮像手段、１次元配列センサ）、３１は携帯電話機（第１の端末）、３２はＣＰＵ（他の再生手段）、３３はＣＣＤセンサ（他の撮像手段）、３４はＰＯＳ端末（第２の端末）、３６は表示装置（他の表示手段）である。
【図１】
0004396065.tif 000002
【図２】
0004396065.tif 000003
【図３】
0004396065.tif 000004
【図４】
0004396065.tif 000005
【図５】
0004396065.tif 000006
【図６】
0004396065.tif 000007
【図７】
0004396065.tif 000008
【図８】
0004396065.tif 000009
【図９】
0004396065.tif 000010
【図１０】
0004396065.tif 000011
【図１１】
0004396065.tif 000012
【図１２】
0004396065.tif 000013
【図１３】
0004396065.tif 000014
【図１４】
0004396065.tif 000015
【図１５】
0004396065.tif 000016
【図１６】
0004396065.tif 000017
【図１７】
0004396065.tif 000018
【図１８】
0004396065.tif 000019
【図１９】
0004396065.tif 000020